(57)【特許請求の範囲】
【請求項１】
棚板と、
前記棚板の周囲に設けられた、前記棚板を支持する複数の支柱と、
前記棚板の上方かつ前記複数の支柱の間に設けられる横架材と、
少なくとも前記棚板、前記横架材及び前記棚板と前記横架材との間隙を覆い、凹部を形成する被覆布とを備え、
前記支柱は、その表面に設けられた、前記棚板の端部又は前記横架材の端部と脱着可能に係合するための窪みを有する係合部を備え、
前記棚板及び前記横架材は、それぞれの前記端部に、前記窪みに対応した突起を有し、
前記係合部は、前記支柱に直交する複数の平面上にそれぞれ配置されていることを特徴とするプランター。
【請求項２】
棚板と、
前記棚板の周囲に設けられた、前記棚板を支持する複数の支柱と、
前記棚板の上方かつ前記複数の支柱の間に設けられる横架材と、
少なくとも前記棚板、前記横架材及び前記棚板と前記横架材との間隙を覆い、凹部を形成する被覆布とを備え、
前記支柱は、その表面に設けられた突起を有し、
前記横架材は、前記支柱の突起と脱着可能に係合する窪みを有する係合部を備え、
前記係合部は、前記支柱に直交する複数の平面上にそれぞれ配置されていることを特徴とするプランター。
【請求項３】
前記棚板と前記支柱とは、前記支柱の側面が前記棚板の端部に加わる力を受けるように係合することにより脱着可能に結合しており、
前記横架材と前記支柱とは、前記支柱の側面が前記横架材の端部に加わる力を受けるように係合することにより脱着可能に結合している、請求項１又は２に記載のプランター。
【請求項４】
前記支柱の長さが調節可能である、請求項１ないし３のいずれかに記載のプランター。
【請求項５】
棚板と、
前記棚板の周囲に設けられた、前記棚板を支持する複数の支柱と、
前記棚板の上方かつ前記複数の支柱の間に設けられる横架材とからなる、
請求項１ないし４のいずれかに記載のプランターに用いることのできる農業用ベッド。
【発明の詳細な説明】
【技術分野】
【０００１】
本発明は、砂栽培等に用いられる業務用又は家庭用のプランター及び農業用ベッドに関する。
【背景技術】
【０００２】
図１１は、従来より使用されている園芸用又は農業用プランターの構造を模式的に示す図である。
図１１に示すように、従来のプランター１００は、木製又は樹脂等により作成された、上方が開口されるとともに底面に水抜き用の網１０１ａが設けられた箱形の籠部１０１と、籠部１０１をその上面に載置するための金属製の台座部１０２とから構成される。利用者は籠部１０１の内部に腐葉土や肥料等を投入し、そこに苗床を形成して植物を栽培することができる。
又、同図に示すように、台座部１０２は籠部１０１及びそこに投入される土壌部分の重量を支えるために、複数の部材を組み合わせて一定の強度を確保した構成としている。なお、安定性を更に確保するために籠部１０１と台座部１０２とを固定した構成も用いられている。
【発明の概要】
【発明が解決しようとする課題】
【０００３】
しかしながら、上記従来のプランター１００には、以下のような課題があった。すなわち、籠部１０１は箱型形状の部材であり、使用しない場合であっても保管場所をとり、運搬も容易でないといった不具合があった。更に、台座部１０２は強度確保のために複数の部材どうしを、図中ネジ１０３に例示されるような別途専用部材を用いて固定して作成するもので、部品点数の増加、組み立てが容易ではない、等の不具合があった。
【０００４】
本発明はこのような課題に鑑みてなされたものであり、プランターにおいて部品点数を削減し、ひいては運搬、組み立てを容易にすることを目的とする。
【課題を解決するための手段】
【０００５】
上記の目的を達成するために、本発明の第１の側面は、棚板と、前記棚板の周囲に設けられた、前記棚板を支持する複数の支柱と、前記棚板の上方かつ前記複数の支柱の間に設けられる横架材と、少なくとも前記棚板、前記横架材及び前記棚板と前記横架材との間隙を覆い、凹部を形成する被覆布とを備え、前記支柱は、その表面に設けられた、前記棚板の端部又は前記横架材の端部と脱着可能に係合するための窪みを有する係合部を備え、前記棚板及び前記横架材は、それぞれの前記端部に、前記窪みに対応した突起を有し、前記係合部は、前記支柱に直交する複数の平面上にそれぞれ配置された、プランターであることを特徴とする。
かかる構成によれば、各部材をくさび式に組むこともできるので、ビス等で連結する場合に比して、農業用ベッドの組み付けを強固且つスピーディーに行うことができ、更には部品点数の節約、省資源、コストダウン等の利点が得られる。また、複数のプランターを自由に延設可能になり、業務用に用いられる大規模栽培にも耐え得るプランターが得られる。
【０００６】
又、本発明の第２の側面は、棚板と、前記棚板の周囲に設けられた、前記棚板を支持する複数の支柱と、前記棚板の上方かつ前記複数の支柱の間に設けられる横架材と、少なくとも前記棚板、前記横架材及び前記棚板と前記横架材との間隙を覆い、凹部を形成する被覆布とを備え、前記支柱は、その表面に設けられた突起を有し、前記横架材は、前記支柱の突起と脱着可能に係合する窪みを有する係合部を備え、前記係合部は、前記支柱に直交する複数の平面上にそれぞれ配置された、プランターであることを特徴とする。
【０００７】
又、本発明の第３の側面は、前記棚板と前記支柱とは、前記支柱の側面が前記棚板の端部に加わる力を受けるように係合することにより脱着可能に結合しており、前記横架材と前記支柱とは、前記支柱の側面が前記横架材の端部に加わる力を受けるように係合することにより脱着可能に結合している、本発明の第１又は第２の側面のプランターであることを特徴とする。
脱着可能な構成とすることにより、農業用ベッドの運搬及び組み付けを更に容易に行うことができる。
【０００８】
又、本発明の第４の側面は、前記支柱の長さが調節可能である、本発明の第１から第３のいずれかの側面のプランターであることを特徴とする。
この構成によれば、植物の実の成り方や作業者の身長等に合わせて高さを調節できるので、作業者の腰痛等のリスクを回避しつつ１台で変幻自在な使い分けが可能となる。
【０００９】
又、本発明の第５の側面は、棚板と、前記棚板の周囲に設けられた、前記棚板を支持する複数の支柱と、前記棚板の上方かつ前記複数の支柱の間に設けられる横架材とからなる、本発明の第１から第４のいずれかの側面のプランターに用いることのできる農業用ベッドであることを特徴とする。
【発明の効果】
【００１０】
以上のような本発明によれば、プランターにおいて部品点数を削減し、ひいては運搬、組み立てを容易にすることが可能となる。
【図面の簡単な説明】
【００１１】
【図１】本発明の実施の形態にかかるプランターの構成を示す斜視図である。
【図２】本発明の実施の形態にかかるプランターの骨格部の構成を示す斜視図である。
【図３】本発明の実施の形態において、支柱と上下の横架材との結合の仕方を説明するための図である。
【図４】本発明の実施の形態にかかるプランターの構成を示す模式的断面図である。
【図５】（ａ）本発明の実施の形態にかかるプランターの支柱の主柱部の構成を示す模式的断面図である。（ｂ）本発明の実施の形態にかかるプランターの支柱の主柱部の構成の他の一例を示す模式的断面図である。（ｃ）本発明の実施の形態にかかるプランターの支柱の主柱部の構成の他の一例を示す模式的断面図である。（ｄ）本発明の実施の形態にかかるプランターの支柱の主柱部の構成の他の一例を示す模式的断面図である。
【図６】本発明の実施の形態にかかるプランターのレイアウトの一例を示す斜視図である。
【図７】（ａ）本発明の実施の形態にかかるプランターのレイアウトの他の一例を示す斜視図である。（ｂ）本発明の実施の形態にかかるプランターの他の構成例及びそのレイアウトの一例を示す斜視図である。
【図８】本発明の実施の形態にかかるプランターの骨格部の構成の他の一例を示す図である。
【図９】（ａ）本発明の実施の形態にかかるプランターの支柱の構成の他の一例を示す図である。（ｂ）本発明の実施の形態にかかるプランターの支柱の構成の他の一例を示す図である。
【図１０】本発明の実施の形態にかかるプランターのメッシュシートの固定方法の構成の他の一例を示す図である。
【図１１】従来のプランターの構成を示す斜視図である。
【発明を実施するための形態】
【００１２】
以下、本発明の実施の形態を、図面を参照して説明する。
図１は、本発明の実施の形態に係るプランターの斜視図である。図１に示すように、本実施の形態に係るプランター１は、金属製の骨格部１０、骨格部１０の上部に位置する、袋状に縫製された化学繊維等の布製のメッシュシート２０とから主に構成される。その他、特に業務用に用いるプランター１においては、水や肥料等を供給するためのパイプや自動灌漑システム等も任意に設けられるが、これらに関する詳細な説明は省略する。
【００１３】
図２は、骨格部１０の構成を示す斜視図である。図１及び図２に示すように、骨格部１０は、矩形の頂点位置に配置された４本の支柱１１と、支柱１１どうしを短手方向に接続するそれぞれ一対の上側横架材１２及び下側横架材１４と、支柱１１どうしを長手方向に接続するそれぞれ一対の上側横架材１３及び下側横架材１５と、下側横架材１４の直上に脱着可能に配置された棚部材１６とから構成される。
なお、上側横架材１２、１３とそれに対応する下側横架材１４、１５との間に、例えば略均等間隔に垂直方向に走るスチール棒等を補強部材として設けることは自由である。
以上の構成において、プランター１は本発明のプランターに相当し、上側横架材１２、１３は本発明の横架材に相当する。又、支柱１１は本発明の支柱に相当し、メッシュシート２０は本発明の被覆布に相当する。下側横架材１４及び棚部材１６は、本発明の棚板を構成し、骨格部１０は本発明の農業用ベッドに相当する。
【００１４】
次に各部の詳細について説明を行う。
支柱１１は、中空の円柱形状の部材である主柱部１１ａと、主柱部１１ａと同軸上に設けられ、その表面にネジが切られた脚部１１ｂ、脚部１１ｂの底部に接続された、地表に接するための底板部１１ｅから主に構成される。主柱部１１ａの表面には、上側横架材１２、１３及び下側横架材１４、１５と結合するための係合部１１ｆが設けられている。なお、上側横架材１２、１３及び下側横架材１４、１５も主柱部１１ａ同様、中空の円柱形状の部材である。
【００１５】
図３は、支柱１１と上側横架材１２及び下側横架材１４との結合状態を説明するための図である。図３に示すように、上側横架材１２の両端には、上側横架材１２の延伸方向と交差するよう鉤状に折れ曲がりくさび型の先端を有する鉤部１２ａがそれぞれ設けられている。
一方、支柱１１の主柱部１１ａの側面には、鉤部１２ａの先端と対向するように、係合部１１ｆが突出しており、係合部１１ｆの表面には、鉤部１２ａのくさび型の先端の断面形状に対応して矩形の開口形状を有するスリット１１ｆ１が設けられている。スリット１１ｆ１内に鉤部１２ａのくさび型の先端が進入することにより、主柱部１１ａと上側横架材１２とは結合され、図中矢印Ｃ方向に沿ってハンマー等により鉤部１２ａの近傍に打撃を加えることにより、スリット１１ｆ１内に鉤部１２ａを食い込ませ、結合を完成する。
下側横架材１４は上側横架材１２と同一の形状を有し、鉤部１２ａと同一の形状の鉤部１４ａを有するため、上側横架材１２の場合と同様にして主柱部１１ａと結合させることができる。
【００１６】
図３に示した例は、骨格部１０の短手方向の構成についての説明であるが、長手方向の構成についても同様である。すなわち、上側横架材１３及び下側横架材１５は、上側横架材１２及び下側横架材１４と同様の端部を備えた構成を有している。したがって、これら端部を主柱部１１ａの対応する係合部１１ｆと係合させることにより、主柱部１１ａと結合させることができる。
なお、上側横架材１２、１３及び下側横架材１４、１５のそれぞれと支柱１１との分離は、図３に示す矢印Ｃと逆方向に沿って、各横架材の端部近傍にハンマー等によって打撃を加えることによって行う。
又、上記の説明において、係合部１１ｆは本発明の係合部に相当し、鉤部１２ａは本発明の突起に相当する。
【００１７】
ところで、図３を参照した説明においては、上側横架材１２と主柱部１１ａとの結合を例に説明を行ったが、実際の組み立てにおいては、下側横架材１４と主柱部１１ａとの結合を先に行うことが望ましい。先に上側横架材１２と主柱部１１ａとを結合させてしまうと、下側横架材１４に係合に必要な打撃を加えることができない虞があること、及び、図２に示すように、対向する下側横架材１４の間に、棚部材１６を配置する必要があることによる。
【００１８】
ここで図２に示すように、棚部材１６は、上側横架材１２及び１３の配置により形成される矩形より一回り小さい程度の矩形上のフレーム１６ａと、フレーム１６ａの主面上に溶接等により固定されたメッシュ部１６ｂと、及びフレーム１６ａの長手方向端部に、溶接等により固定されたフック部１６ｃとから構成される。左記のように棚部材１６を構成するフレーム１６ａ、メッシュ部１６ｂ及びフック部１６ｃは一体的に構成されており、フック部１６ｃを下側横架材１４に引っかけるように載置することで、支柱１１の上端よりの位置に固定される。したがって、上側横架材１２及び１３は、棚部材１６のほぼ直上に位置していることになる。
【００１９】
以上説明したように、本実施の形態のプランター１において、骨格部１０は上側横架材１２、１３及び下側横架材１４、１５のそれぞれと支柱１１との結合を、それぞれの横架材１２〜１５の端部と支柱１１の表面に設けた係合部１１ｆとの係合によって実現するとともに、棚部材１６を下側横架材１４上に架けるように配置することで実現しており、ネジ、ボルト等の、部材固定のための専用部品を省略した構成とすることを可能としている。
【００２０】
次に、支柱１１の他の部分の構成について、再び図１及び図２を参照して説明する。主柱部１１ａの下端には、主柱部１１ａに対し回転自在に結合したリング部１１ｃが設けられている。リング部１１ｃの表面には利用者が把持するためのハンドル１１ｄが設けられており、更に裏面には脚部１１ｂの表面形状に対応したネジが切られている。
したがって、利用者がハンドル１１ｄを把持してリング部１１ｃを回転させると、脚部１１ｂは回転に応じてリング部１１ｃ内を上下に移動する。具体的には、図２に示すように、図中矢印Ａ方向に回転させた場合は、脚部１１ｂは図中矢印Ａ´方向に移動し、主柱部１１ａに対して延伸する。又、図中矢印Ｂ方向に回転させた場合は、脚部１１ｂは図中矢印Ｂ´方向に移動し、主柱部１１ａ内部に収納される。
このように、支柱１１は、ハンドル１１ｄの操作によってリング部１１ｃを回転させることで全体長が伸縮することとなり、これによりプランター１の高さを調整することが可能となっている。
少量の水で育つ、日持ちが良い、濃厚な味の作物が得られる等の利点から、現在では砂栽培が広く一般に普及しているが、本実施の形態に係るプランター１によれば、植物の実の成り方や作業者の身長等に合わせて高さを微調節できるので、立ちながらの農作業からくる腰痛の回避、更には作業効率の向上を図ることができる。
【００２１】
本実施の形態のプランター１は、上述した構成を有する骨格部１０に、メッシュシート２０を組み合わせることで完成している。以下、図１、図２及び図４を参照して、詳細な説明を行う。ただし図４は、図１に示すプランター１の長手方向を直交する向きによる模式的断面図である。
【００２２】
図１に示すように、メッシュシート２０は、四隅が縫合部２１として縫い付けられていることで、袋状の形状を有し、その底面２２は、骨格部１０の棚部材１６の主面とほぼ同一の大きさ、形状を有する。メッシュシート２０の縁部２３は、骨格部１０の外縁に向かってまくれて、下方へ垂れ下がる程度の大きさを有する。このとき、メッシュシート２０の底面２２を囲む壁面は、図２に示す上側横架材１３と棚部材１６のフレーム１６ａの長手方向との間隙Ｓ１、及び上側横架材１２と棚部材１６のフレーム１６ａの短手方向との間隙Ｓ２の双方を塞ぐこととなる。
【００２３】
したがって、図４に示すように、棚部材１６上に配置した状態では、メッシュシート２０は、上側横架材１２及び１３、棚部材１６によって囲まれた空間内に凹部３１を形成する。この凹部３１を内部空間として、腐葉土や肥料等を投入することができる。
【００２４】
メッシュシート２０の網の目は、水捌け及び通気性を考慮したうえで、土や砂は通さず、水等の粒子の細かい液体は透過させる構成とすることが望ましい。ここでのメッシュシート２０の表面は一定の水分や空気を透過できる程度の編み目を有する織布等を材料とし、又、棚部材１６の主面にもメッシュ部１６ｂが設けられていることから、通気性、通水性は十分に確保され、農作物の栽培、園芸等に好適な環境を構築することができる。なお、凹部３１は、本発明の凹部に相当する。
【００２５】
また、メッシュシート２０と骨格部１０との固定は、上側横架材１２及び１３に沿って設けたシートクリップ３０によって行う。シートクリップ３０は、図４に示すように、上側横架材１２及び１３の外形寸法に対応した内径を有する、側面の一部が切りとられた円筒形の形状を有する樹脂製の部材である。シートクリップ３０は弾性力によって変形して、切りとられた部分からメッシュシート２０越しに上側横架材１２及び１３に嵌合する。これによって、メッシュシート２０が上側横架材１２及び１３上で位置ずれしたり、縁部２３が凹部３１側へまくれたりすることを防ぐ役割を果たす。
又、プランター１を使用しない場合、メッシュシート２０は一枚の織布として折りたたむことができ、運搬も容易であり、保管場所も小さくて済むという利点を有する。
【００２６】
以上のように、本発明の実施の形態に係るプランター１によれば、骨格部１０を、支柱と各横架材との係合により脱着自在に結合する構成としたこと、及びメッシュシート２０と骨格部１０との組合せによって凹部３１を内部空間として形成したことにより、部品点数を削減するとともに運搬、組み立てを容易にすることが可能となっている。
【００２７】
さらに、本実施の形態に係るプランター１においては、支柱１１の主柱部１１ａの周囲に係合部１１ｆを設けているが、係合部１１ｆの配置によって複数のプランター１を結合したレイアウトとすることができる。以下、主柱部１１ａの要部断面図である図５（ａ）〜（ｄ）等を参照して説明を行う。
【００２８】
図５（ａ）に示す例は、図１に示したのと同じく、主柱部１１ａの周囲に、９０度角毎に係合部１１ｆを配置した構成である。
この構成とした場合、図６に示すように、プランター１を長手方向又は短手方向のいずれにも連結したレイアウトとすることが可能となる。なお、図６において、支柱１１（イ）〜（ハ）は、隣接するプランター１どうしにおいて共有されている支柱である。かような構成によると大規模な栽培を行うことができ、農業的利用に好適である。
【００２９】
なお、複数のプランター１を連結する必要が無い場合は、図５（ｂ）に示す例のように、係合部１１ｆを一部省略して、９０度角で交差する一対のみの構成としてもよい。図５（ｂ）に示す例はプランター１を単体で用いる場合に好適な構成である。主柱部１１ａの製造時における部品点数を削減することができる。
【００３０】
更に、係合部１１ｆの配置角を異ならせた構成としてもよい。図５（ｃ）に示す例は、主柱部１１ａの周囲に、１２０度角毎に係合部１１ｆを配置した構成である。この構成とした支柱１１を用いてプランター１どうしを連結した場合、図７（ａ）に示すように、プランター１どうしを１２０度の開き角でレイアウトすることが可能となる。なお、図７において、支柱１１（ト）〜（リ）が図５（ｃ）に示す係合部１１ｆを有する支柱であり、その他の支柱１１は図５（ａ）、（ｂ）等の構成である。
このように、係合部１１ｆの配置角を異ならせることによって、プランター１を斜めに交差して配置させることが可能になり、これは配置環境に応じて複雑なレイアウトを行わせる場合に好適である。
【００３１】
更にまた、係合部１１ｆの個数を異ならせた構成としてもよい。図５（ｄ）に示す例は、主柱部１１ａの周囲に６０度角毎に係合部１１ｆを合計６つ配置した構成である。この構成とした支柱１１を用いた場合、図７（ｂ）に示すように、略正三角形の棚部材１６０を有する、プランター１´を形成することができる。プランター１´は三角形の一辺どうしが隣接するように連結させることができ、図７（ｂ）に示すように直線上に略平行四辺形を呈するようレイアウトしていくこともできる。さらに六角形状など、より複雑な形状のレイアウトも実現することが可能となる。なお、図７（ａ）、（ｂ）においては説明の便宜上、メッシュシート２０は省略して示した。
【００３２】
要するに、本発明の係合部は、支柱に直交する複数の平面上にそれぞれ配置される構成として、各横架材どうしを脱着可能に結合できればよく、その個数や配置角によって限定されるものではない。また、これに対応して、本発明の棚板の形状も、矩形、三角形以外の多角形形状、更には円形、楕円形等の形状であってよく、支柱の本数も３本以上等、任意の本数であってよい。
又、上記の説明においては、係合部１１ｆは、鉤部１２ａのくさび型の先端が進入する開口形状が矩形のスリット１１ｆ１を有する構成であるとしたが、スリット１１ｆ１は係合部１１ｆの底面まで貫通した貫通孔の形状であっても、鉤部１２ａの先端が収納可能な程度の窪みであってもよい。これら貫通孔又は窪みのいずれのスリット１１ｆ１も、本発明の窪みに含まれる。
【００３３】
又、支柱１１と各横架材との結合は図８に示すような構成により実現してもよい。図８は、上側横架材１２の両端に、開口形状が矩形のスリット１２ｂ１を開口した端部１２ｂを形成するとともに、主柱部１１ａにおいては、上側横架材１２に対応する箇所に、スリット１２ｂ１に進入できるように、主柱部１１ａから突出し、上方に折れ曲がりくさび型の先端を有する鉤部１１ｇを設けた例である。この場合、係合の対応関係は図３に示す構成と逆であるが、同様に、図中矢印Ｃに示す向きに沿って上側横架材１２の両端に打撃を加えることにより、上側横架材１２と支柱１１とを結合することができる。
【００３４】
又、下側横架材１４の両端に、主柱部１１ａの延伸方向から見てＴ字状に成型した端部１４ｂを形成するとともに、主柱部１１ａにおいては、上側横架材１２に対応する箇所に、端部１４ｂの反転形状であるＴ字状のスリット１１ｈ１を形成した係合部１１ｈを設けた例も示す。この場合も上側横架材１２と同様にして、支柱１１と結合することができる。
【００３５】
なお、上述した上側横架材１２及び下側横架材１４の形状は例示であって、他の横架材の端部の形状に用いてよいことは言うまでもない。要するに、本発明の支柱と横架材とは、支柱の側面が前記横架材の端部に加わる力を受けるように係合することにより脱着可能に結合していればよく、その結合のための具体的な構成によって限定されるものではない。
又、上記の説明においては、本発明の棚板は、下側横架材１４と棚部材１６との組合せにより実現するものとしたが、これら各部を一体化した構成として実現してもよい。要するに、本発明の棚板は、支柱の側面が前記棚板の端部に加わる力を受けるように係合することにより、支柱に脱着可能に結合していればよく、その結合のための具体的な構成によって限定されるものではない。
又、上記の説明においては、長手方向側に一対の下側横架材１３、１５を備えた構成としたが、これは本発明の横架材には相当しない。すなわち、本発明のプランター及び農業用ベッドにおいて、骨格部１０に十分な強度があれば、下側横架材１３及び１５は省略した構成であるとしてもよい。
【００３６】
又、上記の説明においては、支柱１１は、ネジ状の脚部１１ｂを備えたことにより、ハンドル１１ｄの操作によってリング部１１ｃを回転させることで全体長が伸縮することで、プランター１の高さを調整するものとした。しかしながら、本発明の支柱は、図９（ａ）に示すように、それぞれ二重筒構造を有するジョイント部４１及び底板部４２を有する支柱４０として実現してもよい。ジョイント部４１の個数、又は長さを変えることにより、支柱４０全体の長さが調節可能である。
【００３７】
又、図９（ｂ）に示すように、スライドして伸縮可能な複数の同心筒を形成する円筒５１ａ〜５１ｃ、及び底板部５３を備えた支柱５０として実現してもよい。各円筒５１ａ〜５１ｃには係止用の棒部材５２ａ〜５２ｃが貫通しており、例示するように、例えば棒部材５２ａを貫通孔５１ａ１から引き抜くことにより、円筒５１ａより外形の大きい主柱部５０ａが下方にスライドすることにより全体の長さが調節可能である。
以上のように、本発明の支柱は、長さが調節可能とするものであれば、任意の構成を用いてもよい。
【００３８】
又、上記の説明においては、メッシュシート２０は、樹脂製のシートクリップ３０によって骨格部１０に固定されるものとしたが、図１０に示すように、例えばメッシュシート２０が上側横架材１３に巻き付いた状態で、縁部２３を貫通するようにひも２４により縛り付けて固定するようにしてもよい（図中左側）。
又、メッシュシート２０に一組の面ファスナー２５・２５を適当な数だけ設けて、縁部２３が外側に折り返された状態で面ファスナー２５・２５を結合して固定するようにしてもよい（図中右側）。
以上はプランター１の長手方向側における固定方法の説明であるが、短手方向側の場合も同様である。
【００３９】
更に、シートクリップ３０又はそれに相当するメッシュシート２０の固定のための部材を省略した構成としてもよい。又、メッシュシート２０は袋状に縫製されておらず、一枚の布状であってもよい。
要するに、本発明の被覆布は、少なくとも棚板、横架材及び棚板と横架材との間隙を覆い、土砂を投入可能な内部空間となる凹部を形成することができれば、素材、縫製、織り方、編み方、その固定方法その他の具体的な構成によって限定されるものではない。
【００４０】
以上説明したように、本発明のプランターは、脱着可能に結合された支柱、横架材及び棚板と、被覆布とを備えたことにより、部品点数を削減し、ひいては運搬、組み立てを容易とすることを実現している。
このようなプランターは、一般の園芸用のみならず、大規模農作業用、例えば、土壌として砂を利用し、外部から点滴方式で肥料を供給する砂栽培システムにおいて好適である。
【００４１】
殊に本実施の形態の場合、支柱１１が一定の高さを有しており、メッシュシート２０及び棚部材１６もメッシュ構造を備えたことにより、透水性及び通気性に優れた根圏環境を維持することができる。
作業者の身長にもよるが、葉菜類（サラダ菜、レタス、小松菜、ほうれん草、チンゲン菜等）の栽培に用いる場合は、メッシュシート２０の地上高を７０〜９５センチ程度に設定することが作業者の作業効率及び腰痛予防の観点から望ましい。又、果菜類、花弁類（メロン、トマト、キュウリ、ピーマン、イチゴ等）の栽培に用いる場合は、メッシュシート２０の地上高を２０〜４０センチ程度に設定することが望ましい。
【００４２】
なお、業務用として用いる場合は、プランター１単体としては、例えば棚部材１６の寸法を基準として、平面寸法が長手方向１８０センチ×短手方向１２０センチ程度有ることが望ましい。この場合、特に長手方向に複数連結した場合は３０メートル以上の十分な大きさをとることができ、大規模栽培に好適な構成を得ることができる。
なお、上記寸法にて砂栽培を試みる場合には、砂の重量も考慮したうえで、骨格部１０は３００ｋｇ以上の耐荷重を備えることが望ましい。
【００４３】
一方で、家庭用として用いる場合は、同平面寸法は長手方向９０センチ×短手方向６０センチ程度であることが望ましい。この場合、コンパクト性を重視して、図５（ｂ）に示すような連結する構成としなくともよい。又、支柱１１の長さが調整できない構成としてもよい。
しかしながら、本発明は、その要旨を逸脱しない範囲内であれば、上記実施の形態に種々の変更を加えてもよく、上記の寸法、大きさ等によって限定されるものでないことは言うまでもない。
【産業上の利用可能性】
【００４４】
以上のような本発明によれば、部品点数を削減し、ひいては運搬、組み立てを容易とする顕著な効果を有し、一例としては、屋外又は屋内における農作業、園芸用プランターに好適である。
【符号の説明】
【００４５】
１、１´、１００  プランター
１０  骨格部
１１、１１（イ）〜（リ）、４０、５０  支柱
１１ａ、５０ａ  主柱部
１１ｂ  脚部
１１ｃ  リング部
１１ｄ  ハンドル
１１ｅ、４２、５３  底板部
１１ｆ、１１ｈ  係合部
１１ｆ１、１１ｈ１  スリット
１１ｇ、１２ａ、１４ａ  鉤部
１２ｂ、１４ｂ  端部
１２、１３  上側横架材
１４、１５  下側横架材
１２ｂ１  スリット
１６、１６０  棚部材
１６ａ  フレーム
１６ｂ  メッシュ部
１６ｃ  フック部
２０  メッシュシート
２１  縫合部
２２  底面
２３  縁部
２４  ひも
２５・２５  面ファスナー
３０  シートクリップ
３１  凹部
４１  ジョイント部
５１ａ〜５１ｃ  円筒
５１ａ１  貫通孔
５２ａ〜５２ｃ  棒部材
１０１  籠部
１０１ａ  網
１０２  台座部
１０３  ネジ
【図１】
0005452697.tif 000002
【図２】
0005452697.tif 000003
【図３】
0005452697.tif 000004
【図４】
0005452697.tif 000005
【図５】
0005452697.tif 000006
【図６】
0005452697.tif 000007
【図７】
0005452697.tif 000008
【図８】
0005452697.tif 000009
【図９】
0005452697.tif 000010
【図１０】
0005452697.tif 000011
【図１１】
0005452697.tif 000012